(57)【要約】【課題】  従来の傘立ては、長い傘に合わせて作られることが多く、折りたたみ傘を立てると下へ落下してしまうという問題点があった。また手前側と奥側を見やすくする為に筒状部で傘の挿入個所と挿入可能な本数を固定しており、筒状部の数以上は傘を立てかけることができないという問題点があった。更にまた筒状部の内面の複数のリブでは、傘についた雨水を排除するのにも限度があった。【解決手段】  本発明の傘立ては、両端に設けた折り曲げ自在の支持棒２と、前記折り曲げ自在の支持棒２の折り曲げ部分を固定する固定棒３と、前記固定棒３の間に取付けた多数本の弾性のある紐４とを備え、前記弾性のある紐４からなる面を少なくとも２面対向して配置させることで解決するものである。【選択図】図１
2007054533.tif 000002
【特許請求の範囲】
【請求項１】
両端に設けた折り曲げ自在の支持棒と、前記折り曲げ自在の支持棒の折り曲げ部分を固定する固定棒と、前記固定棒の間に取付けた多数本の弾性のある紐とを備え、
前記弾性のある紐から成る面を少なくとも２面対向して配置させることを特徴とする傘立て。
【請求項２】
前記折り曲げ自在の支持棒の折り曲げ角度は可変であり、ボルトで固定することを特徴とする請求項１に記載の傘立て。
【請求項３】
前記弾性のある紐は、シリコンゴム、塩ビチューブ、麻あるいは綿で構成されることを特徴とする請求項１に記載の傘立て。
【請求項４】
前記弾性のある紐は短い紐と長い紐とで構成され、前記長い紐は一定間隔で配列され、前記長い紐の間に前記短い紐を配列して傘入れ用のスペースを形成することを特徴とする請求項１に記載の傘立て。
【請求項５】
前記固定棒に多数の孔を設けて、前記紐からの雨水を前記固定棒内を通して流すことを特徴とする請求項１に記載の傘立て。
【請求項６】
前記弾性のある紐から成る面に対向して、雨水を受け取る受け皿を配置させることを特徴とする請求項１に記載の傘立て。
【請求項７】
四隅に設けた支持棒と、前記支持棒の第一の固定位置と第二の固定位置に設けた固定棒と、前記固定棒の間に取付けられた多数本の弾性のある紐とを備え、
前記弾性のある紐から成る２つの面を対向して配置させることを特徴とする傘立て。
【発明の詳細な説明】
【技術分野】
【０００１】
本発明は、折り曲げ自在な傘立てに関し、特に弾性のある紐から成る面を少なくとも２面対向させることにより折りたたみ傘と長い傘の両方を立てられ、弾性のある紐により傘についた雨水を絞り落とせ、晴れた日には折りたたんで収納できる傘立てに関するものである。
【背景技術】
【０００２】
従来の傘立ては、傘が挿通されるように形成され、かつ軸方向の一端側が傘挿入孔とされた筒状部と、上記傘挿入孔の周縁端から外方側に向けて突出形状されたフランジ部とで構成され、上記筒状部の半径方向に広がる平面に対して、傾斜状に広がるようにして形成されている。筒状部を斜め方向に切断し、切断面を大きくすることにより、傘挿入孔の開口面積をより大きく確保することができ、傘の出し入れが容易となる。
【０００３】
また、床面に対して取付け部が傾斜状または垂直状に設けることにより、各傘挿入孔を上下方向に位置ずれさせ、手前側に比べて奥側の傘挿入孔をより高位に設けられる。これにより傘縦の真上から傘挿入孔を覗き込むことなく、容易に確認できる。
【０００４】
更にまた、筒状部の内面に複数のリブを設けることにより、リブによって傘がガイドされ容易に挿入でき、そして挿入した状態ではリブをつたって傘の表面に付着した雨水が積極的に排除できるという技術は、特許文献１に記載されている。
【特許文献１】特開２０００−２２５０５０号公報
【発明の開示】
【発明が解決しようとする課題】
【０００５】
しかしながら、上述したように従来の傘立てでは、長い傘に合わせて作られることが多い為、短い折りたたみ傘を立てようとすると、折りたたみ傘が下へ落下してしまうという問題点があった。
【０００６】
また、手前側と奥側を見やすくする為に筒状部で傘の挿入個所と挿入可能な本数を固定しており、筒状部の数以上は傘を立てかけることができないという問題点があった。
【０００７】
更に、筒状部の内面の複数のリブでは、傘についた雨水を排除するのにも限度があった。特に、傘を立てかけてから傘を取り出すまでの時間が短い場合には、傘についた雨水が排除しきれず、雨水が残った状態の傘を持ち歩かなければならないという問題もあった。
【０００８】
更に、傘立てを設置するにはある程度のスペースを必要とする為、傘立てを利用しない場合には、傘立てを物置などに収納できることが望まれていた。
【課題を解決するための手段】
【０００９】
本発明は、上述した問題点に鑑みて為されたものであり、両端に設けた折り曲げ自在の支持棒と、前記折り曲げ自在の支持棒の折り曲げ部分を固定する固定棒と、前記固定棒の間に取付けた多数本の弾性のある紐とを備え、前記弾性のある紐からなる面を少なくとも２面対向して配置させることで解決するものである。
【００１０】
また、折り曲げ自在の支持棒の折り曲げ角度は可変であり、ボルトで固定することを特徴とするものである。
【００１１】
更に、前記弾性のある紐は、シリコンゴム、塩ビチューブ、麻あるいは綿で構成されることを特徴とするものである。
【００１２】
更に、前記弾性のある紐は短い紐と長い紐とで構成され、前記長い紐は一定間隔で配列され、前記長い紐の間に前記短い紐を配列して傘入れ用のスペースを形成すること特徴とするものである。
【００１３】
更に、前記固定棒に多数の孔を設けて、前記紐からの雨水を前記固定棒内を通して流すことを特徴とするものである。
【００１４】
更に、前記弾性のある紐からなる面に対向して、雨水を受け取る受け皿を配置させることを特徴とするものである。
【００１５】
最後に、四隅に設けた支持棒と、前記支持棒の第一の固定位置と第二の固定位置に設けた固定棒と、前記固定棒の間に取付けられた多数本の弾性のある紐とを備え、前記弾性のある紐から成る２つの面を対向して配置させることで解決させるものである。
【発明の効果】
【００１６】
上述したように、本発明の傘立ては両端に設けた折り曲げ自在の支持棒を備えることにより、傘立てを利用しない場合には傘立ての支持棒を折りたたみ、傘立てを収納することができる。
【００１７】
また、支持棒の折り曲げ部分を固定する固定棒と、前記固定棒の間に取付けた多数本の弾性のある紐とから成る面を少なくとも２面対向して配置させることにより、折りたたみ傘と長い傘の両方を同時に安定した状態で立てかけることができる。これにより、折りたたみ傘を傘立てに差し込んでも下へ落下させずに利用することができる。
【００１８】
更に、折り曲げ自在の支持棒の折り曲げ角度は可変であり、ボルトで固定することで、支持棒の角度を大きくした状態や、小さくした状態で利用することが可能となる。これにより、傘立てを置く環境に応じて傘立ての高さを変更したり、横幅を変更することができる。
【００１９】
更に、弾性のある紐にシリコンゴム、塩ビチューブ、麻あるいは綿を用い、短い紐と長い紐を構成し、前記長い紐を一定間隔で配列し、前記長い紐の間に前記短い紐を配列することで、傘入れ用のスペースを形成することが可能となる。これにより、スペース内であれば自由に傘を差し込むことができ、差し込まれた傘をしっかり固定することができる。また、短い紐がスペーサーの役割を果たし、傘の太さに応じて傘入れ用のスペースを調整することができる。そして、弾性のある紐の間に傘を差し込む時と傘を抜き出す時に傘についた雨水を絞り取ることができる。
【００２０】
更に、固定棒に多数の孔を設けることにより、紐からの雨水を固定棒内を通して流すことができる。これにより、傘立ての周りに雨水を飛び散すことを防げる。そして、雨水で床を濡らすことがほとんど無くなるため、傘立てを室内に置くことができる。
【００２１】
更に、弾性のある紐から成る面に対向して受け皿を配置し、雨水を受け取ることができる。これにより、固定棒内を流れてきた雨水を受け皿へ流すことができる。そして弾性のある紐で絞りきれなかった傘についた雨水も、受け皿で受け取ることができる。
【００２２】
更に、弾性のある紐を様々な色の紐に替えることで、弾性のある紐からなる面を多彩に変化させることができる。これにより、場所や雰囲気に応じたお洒落な傘立てを提供することができる。
【００２３】
更に、弾性のある紐からなる面に文字や絵等を描くことができる。これにより、傘立てとして利用しない場合にはインテリアや広告としての役割を果たすことができる。
【００２４】
更に、複数個の傘立てを用意し、それらの支持棒を用いて連結することができる。これにより、必要に応じて、傘立てを容易に増減させることができる。
【００２５】
更にまた、四隅に設けた支持棒と、前記支持棒の第一の固定位置と第二の固定位置に設けた固定棒と、前記固定棒の間に取付けられた多数本の弾性のある紐とを備えることにより、弾性のある紐から成る２つの面を対向して配置させることができる。これにより、折りたたみ傘や長い傘の両方を差し込むことができる。そして、傘を立てかける時や取り出す時に前記紐で傘についた雨水を絞り取ることができる。
【発明を実施するための最良の形態】
【００２６】
以下に、本発明における実施の形態について、図１〜図５を参照にして詳細に説明する。
【００２７】
(実施例１)
本発明の傘立ては、弾性のある紐からなる面を少なくとも２面以上有すればよい。２面を有した傘立てを側面からみた場合には、英文字のＺ形状に形成されており、３面を有した傘立てを側面からみた場合には、ギリシャ文字のΣ形状または英文字のＭを横に倒した形状に形成されている。尚、ここでは弾性のある紐から成る面を３面有した傘立てを例に説明していく。
【００２８】
図１は、本発明の一実施の形態の傘立ての構成図である。
【００２９】
図１に示すごとく、傘立て１は支持棒２、固定棒３、弾性のある紐４、ボルト５、受け皿６とから構成される。
【００３０】
傘立て１は、折りたたみ傘と長い傘の両方を立てかけることができる傘立てである。また、弾性のある紐から成る面は傾斜があるため、奥側に立てかけるときも傘入れのスペースが確認しやすい。更にまた、傘立てが不要な場合、例えば晴れの日等には、傘立てを折りたたんで物置などに収納することができる。
【００３１】
支持棒２は、折り曲げ自在の支持棒であり、折り曲げ角度は可変である。折り曲げ角度は０度〜９０度まで開閉自在であり、例えば４５度〜６０度の間が使いやすい角度である。支持棒２は側面がΣ形状の場合は４本で構成され、Ｚ形状の場合は３本で構成され、折り曲げ部分では重なり合う形状となっている。
【００３２】
また、複数本の傘の重さに耐えられる強度と、且つ水分により錆びない素材であり、スチールやアルミニウムやステンレスや強化プラスチックが用いられる。尚、支持棒は傘立てを固定できる最低限の太さがあればよく、デザインを考慮して図示したものより太くしたり、細くしたりしてもよい。
【００３３】
固定棒３は、折り曲げ自在の支持棒２の折り曲げ部分を固定する棒である。支持棒２と同様に、強度があり、且つ水分により錆びない素材であり、スチールやアルミニウムやステンレスや強化プラスチックである。
【００３４】
また、固定棒３は紐からの雨水を固定棒内を通して流すことができ、表面には孔が複数個形成されており、内部は空洞となっている。更にまた、固定棒は複数本の弾性のある紐を取付けた時の力に耐えられる太さで、且つ複数個の孔や内部を空洞としても強度が保たれる太さであればよく、デザインを考慮して図示したものより太くしたり、細くしたりしてもよい。尚、固定棒の孔とその役割の詳細については後で説明する。
【００３５】
弾性のある紐４は、短い紐と長い紐とで構成されており、固定棒３間に取付けられる。長い紐は一定間隔で配列され、その長い紐の間に短い紐を配列することにより、長い紐は垂れて傘入れ用のスペースを形成している。紐にはシリコンゴム、塩ビチューブ、麻あるいは綿のいずれかかあるいは組み合わせて用いる。
【００３６】
また、弾性のある紐４から成る面に傘を差し込む時や、傘を取り出す時には、弾性のある紐の間を傘が通過し、それにより傘についた雨水を絞り落とすことができる。尚、弾性のある紐４からなる面の詳細については後で説明する。
【００３７】
ボルト５は、支持棒２を折り曲げる軸となる部分に形成され、支持棒２を好きな角度で固定する。例えば、ボルトに目地を設け、目地に合わせて支持棒の勾配を変更できるようにする。尚、詳細については後で説明する。
【００３８】
受け皿６は、弾性のある紐４から成る面に対向して配置された雨水を受け取る皿である。受け皿は傘立ての一番底面にあるため強度があり、且つ水分により錆びない素材であり、スチールやアルミニウムやステンレスや強化プラスチックである。尚、屋外や水はけのよい玄関等のように、雨水を受け取る必要が無い場合には受け皿６は設置しなくてもよい。
【００３９】
次に図２は、本発明の一実施の形態の傘立ての（Ａ）弾性のある紐から成る面を説明する図であり、（Ｂ）傘を差した状態の側面図である。
【００４０】
図２（Ａ）に示すごとく、弾性のある紐４から成る面は、固定棒３と弾性のある紐４から構成されている。弾性のある紐４には短い紐と長い紐が用いられ、長い紐は一定間隔で取付けられ、それら長い紐４の間に短い紐３が取付けられている。例えば、短い紐を連続して３本取付け、その次に長い紐を１本取付けることを繰り返す。これにより、一定間隔で取付けた長い紐と短い紐により傘を入れるスペースが形成される。尚、傘を入れるスペースが多いほど、多くの傘を立てることができる。また、立てかける傘の太さに応じて長い紐４の間に取付ける短い紐３の本数を増減させ、傘を入れるスペース幅を広くしたり狭くしたり設定できる。
【００４１】
図２（Ｂ）に示すごとく、弾性のある紐４からなる面を少なくとも２面対向させることにより、折りたたみ傘７ａと長い傘７ｂの両方を立てることができる。折りたたみ傘７ａは少なくとも１面を通過していれば短くて軽いので安定支持させることができ、長い傘７ｂは少なくとも２面を通過していれば安定支持させることができる。すなわち、折りたたみ傘７ａは屈折部の近傍に差し込めばよく、長い傘７ｂは屈折部から遠い方へ差し込むことで、どのようなタイプの傘でも安定支持させることができる。これにより、一つの傘立てで、折りたたみ傘と長い傘の両方に対応することができる。
【００４２】
次に図３は、本発明の一実施の形態の傘立ての（Ａ）ボルトの構造を説明する図であり、（Ｂ）支持棒の角度が変わる状態を説明する図である。
【００４３】
図３（Ａ）に示すごとく、ボルト５の外周には複数の目地５ａが形成されている。例えば、１０度間隔で目地を設ければ、支持棒２の角度を１０度間隔で容易に変更することができる。ボルト５は折り曲げ部分の重なった支持棒２の端部に設けられた貫通孔に挿入され、固定棒３に螺合される。これにより支持棒２および固定棒３が機械的に固定される。
【００４４】
なお、支持棒２の角度を維持するために隣接する支持棒３間に補助支持棒２ａを設けて補強をしても良い。
【００４５】
図３（Ｂ）に示すごとく、折り曲げ自在の支持棒２の角度は容易に変更でき、ボルト５により固定される。これにより傘立て１の高さや横幅を自在に動かすことができる。尚、受け皿を用いた場合には、傘立ての底面の横幅は固定されるが、それ以外の横幅は支持棒の折り曲げ角度により可変である。
【００４６】
例えば、身長の高い人に合わせて支持棒２の角度を大きくした場合には、あまりかがまずに傘７の出し入れが容易に行える。一方、身長の低い人が多い場面（この場合は、小学校や幼稚園等）では、支持棒２の角度を小さくし傘立て１の高さを低くすればよい。
【００４７】
また例えば、傘立て１の設置スペースが狭いところ、例えばオフィスや玄関等の場合には、支持棒２の角度を大きくすれば奥行きを狭くできる。一方、設置スペースが広いところ、例えば屋外等の場合には、支持棒２の角度を小さくすればよい。
【００４８】
このように、ボルト５の目地５ａを利用して、支持棒２の勾配を変更することにより、傘立ての奥行きや高さを変更できる。
【００４９】
次に図４は、本発明の一実施の形態の傘立ての（Ａ）固定棒の構成を説明する図であり、（Ｂ）弾性のある紐から固定棒へと雨水が流れる状態を説明する図である。
【００５０】
図４（Ａ）に示すごとく、固定棒３には複数個の孔３ａが形成されている。傘７についた雨水は弾性のある紐４により絞り取られ、紐をつたって固定棒３の孔３ａへと流れていく。尚、孔３ａは固定棒の強度を低下させない程度に設けられている。
【００５１】
また、固定棒３の内部は空洞となっており（図示せず）、雨水は紐をつたって孔３ａから固定棒の中へ入り流れていく。尚、固定棒の空洞も強度を保てる程度の厚さを残して開けられている。
【００５２】
図４（Ｂ）に示すごとく、傘についた雨水は弾性のある紐４により絞りとられる。そして絞り取られた雨水は弾性のある紐をつたい固定棒３の孔３ａから固定棒の中へと入る。
例えば、固定棒の中に溜まった水は他の孔３ａから溢れ、更に弾性のある紐４をつたい、下方へと流れていったり、また勾配をもつ支持棒をつたって、下方へと流れていったりする。
【００５３】
尚、弾性のある紐からなる面の傾斜を大きくすることにより、雨水はより早く下方へとながれていく。
【００５４】
(実施例２)
最後に図５は、本発明の実施の形態の傘立てのもう一つの形状を説明する図である。
【００５５】
図５に示すごとく、少なくとも傘立て１は支持棒２、固定棒３、弾性のある紐４とから構成される。
【００５６】
支持棒２は、４隅に配置され、固定棒３を設置する第一の固定位置と第二の固定位置を有する。
【００５７】
固定棒３は、支持棒２の第一の固定位置と第二の固定位置にそれぞれ配置される。第一の固定位置と第２の固定位置には弾性のある紐４からなる面が形成され、２面は対向している。
【００５８】
弾性のある紐４は、短い紐と長い紐を有し、長い紐は一定の間隔で設けられ、長い紐の間に短い紐を設けることにより傘を入れるスペースを形成している。
【００５９】
尚、支持棒２、固定棒３、弾性のある紐４については上述しているので、ここでは説明を省略する。
【００６０】
また、弾性のある紐から成る面を少なくとも２面対向させて配置することで、折りたたみ傘７ａと長い傘７ｂを立てかけることに対応している。そして立てかけた傘を安定支持させることができる。
【００６１】
尚、図示していないが、室内や雨水を落としたくない場所に設置する場合には、弾性のある紐から成る面に対向して、受け皿を設置すればよい。これにより傘の出し入れ時に絞り取られた雨水は、直接受け皿へと落とすことができる。また、弾性のある紐により傘が安定支持されるため、傘立ての周りに余分な雨水を落とすことも少なくできる。
【産業上の利用可能性】
【００６２】
本発明の傘立ては、折り曲げ自在の支持棒により傘立ての高さや奥行きを変更することができ、弾性のある紐により傘についた雨水を絞り取ることができる。また、弾性のある紐を色彩のある紐へと交換することでデザインも重視できるため、傘立ての役割をしない場合にはお洒落なインテリアとしての機能を果たすことに利用できる。
【図面の簡単な説明】
【００６３】
【図１】図１は、本発明の一実施の形態の傘立ての構成図である。
【図２】図２（Ａ）は本発明の一実施の形態の傘立ての弾性のある紐から成る面を説明する図であり、図２（Ｂ）は本発明の一実施の形態の傘立てに傘を差した状態の側面図である。
【図３】図３（Ａ）は本発明の一実施の形態の傘立てのボルトの構造を説明する図であり、図３（Ｂ）は本発明の一実施の形態の傘立ての支持棒の角度が変わる状態を説明する図である。
【図４】図４（Ａ）は本発明の一実施の形態の傘立ての固定棒の構成を説明する図であり、図４（Ｂ）は本発明の一実施の形態の傘立ての弾性のある紐から固定棒へと雨水が流れる状態を説明する図である。
【図５】図５は、本発明の実施の形態の傘立てのもう一つの形状を説明する図である。
【符号の説明】
【００６４】
１    傘立て
２    支持棒
２ａ  補助支持棒
３    固定棒
３ａ  孔
４    弾性のある紐
５    ボルト
５ａ  目地
６    受け皿
７    傘
【図１】
2007054533.tif 000003
【図２】
2007054533.tif 000004
【図３】
2007054533.tif 000005
【図４】
2007054533.tif 000006
【図５】
2007054533.tif 000007